(57)【要約】【課題】良好な美観を呈し、紙リサイクルにおいて綴じ部の断裁が不要で、リサイクルの障害を取り除く冊子型チラシを提供する。【解決手段】冊子型チラシは広告を印刷している、２枚の刷紙１、２を備える。チラシは刷紙１の幅方向中心において綴じ部Ｂで綴じられる。綴じ部Ｂは刷紙１の高さ方向に倣い塗布される水溶性のり５で綴じられ、刷紙１を綴じ部Ｂに沿って折り、直線状の背３が形成される。【選択図】図１
2007045138.tif 000002
【特許請求の範囲】
【請求項１】
両面に広告を印刷している複数の刷紙を備え、前記刷紙の幅方向中心に前記刷紙を綴じ合わせる綴じ部を形成している冊子型チラシにおいて、前記綴じ部が前記刷紙の高さ方向に倣い塗布される水溶性のりで綴じられ、前記刷紙を前記綴じ部に沿って折り、直線状の背を形成するようにしたことを特徴とする冊子型チラシ。
【請求項２】
前記複数の刷紙が２枚の刷紙からなる請求項１記載の冊子型チラシ。
【請求項３】
前記複数の刷紙が４枚の刷紙からなる請求項１記載の冊子型チラシ。
【請求項４】
前記複数の刷紙が８枚の刷紙からなる請求項１記載の冊子型チラシ。
【請求項５】
用紙に広告を印刷する工程、刷紙を２つの部分に切り離す工程、切り離された前記刷紙の一方にのりを塗布する工程、前記２枚の刷紙を重ねて接着する工程、前記刷紙を綴じ部に沿って折る工程、前記刷紙を決められた大きさに断裁する工程を含む冊子型チラシの作製方法。
【請求項６】
用紙に広告を印刷する工程、刷紙を２つの部分に切り離す工程、切り離された前記刷紙にのりを塗布する工程、前記刷紙を紙延長方向に直角に折る工程、折られた前記刷紙を決められた大きさに断裁する工程、断裁された前記刷紙を重ねて接着する工程、前記刷紙を綴じ部に沿って折る工程を含む冊子型チラシの作製方法。
【請求項７】
用紙に広告を印刷する工程、刷紙を紙延長方向に倣い折る工程、折られた前記刷紙の一方にのりを塗布する工程、折られた前記刷紙を重ねて接着する工程、前記刷紙にのりを塗布する工程、前記刷紙を決められた大きさに断裁する工程、断裁された前記刷紙を断裁部と平行に折る工程、折られた前記刷紙を重ねて接着する工程、折られた前記刷紙をさらに綴じ部に沿って折る工程を含む冊子型チラシの作製方法。
【発明の詳細な説明】
【技術分野】
【０００１】
本発明は良好な美観を呈し、紙リサイクルの徹底で綴じ部の断裁が不要で、リサイクルの障害とならない冊子型チラシおよびその作製方法に関する。
【背景技術】
【０００２】
新聞に折り込むチラシおよびポスティング・チラシ等は増加の一途を辿っている。折り込みにおいては人手に頼ることが多く、折り込みに要する費用も増加している。一般に、チラシに多量の広告等を掲載するとき、大判のチラシ（たとえば、Ｂ３、Ｂ２およびＢ１サイズ）が用いられるが、これは新聞の折り込みサイズを超えるので、新聞の折り込みサイズ（４０６．５×２７３ｍｍ）に収めるようにするにはチラシを折らなければならない。大判としないで小判の何枚かのチラシを適当な手段で綴ること、あるいは綴じ合わせないで作製することも行われている。折られた大判のチラシおよび綴った小判のチラシのどちらも新聞への折り込みの際には一枚チラシ同様にその取り扱いが容易でなければならない。
【０００３】
ところで、当然のことであるが、チラシは広告のために大量印刷が前提となる。今日、チラシ印刷は全自動印刷機の使用で大量印刷が可能になっている。同時に、その後のチラシ折り、綴りなども自動折り機および自動綴り機によって発注者の要求通りのチラシを作製することができる。特に、印刷した後にチラシ用紙を綴るための綴じ機については針金を用いることが多い。この工程では束ねたチラシ用紙の背側に細い針金を打ち込み、用紙の腹側に飛び出した針金先端を紙面近くまで折り曲げることになる。
【発明の開示】
【発明が解決しようとする課題】
【０００４】
チラシに対する要望の一つに美観に優れた冊子の形態に作製するという、高い品質レベルの要求がある。この冊子型チラシで複数の紙を綴じ合わせるのに従来の針金等の綴じ手段を使用したものは背の部分に針金等が露出し、美観が損なわれると共に、針金の突出で安全性において大いに問題がある。また、こうした手段は紙リサイクルにおいて古紙回収の際に綴じ部の断裁が必要になり、リサイクルを徹底するうえで障害になる。
【０００５】
チラシの美観が損ねられるのを回避する方法にはチラシ印刷後に用紙を折りながら、紙面にゼリー状ののり等を塗布して用紙同士を接着する方法がある。しかしながら、この方法はのりの塗布の仕方が難しく、大量印刷に向く技術が確立されていない。
【０００６】
一方、背の綴じ手段として接着剤等を使用し、美観を損ねる接着剤等を適当な方法で覆って隠すこともある。しかしながら、こうした方法は工程が複雑になり、コストの上昇を招くことから、チラシのように大量に印刷するものには適さない。
【０００７】
本発明の目的は良好な美観を呈し、しかも紙リサイクルにおいて綴じ部の断裁が不要で、リサイクルの障害を取り除くようにした冊子型チラシおよびその作製方法を提供することにある。
【課題を解決するための手段】
【０００８】
本発明に係る冊子型チラシは両面に広告を印刷している複数の刷紙を備え、刷紙の幅方向中心に刷紙を綴じ合わせる綴じ部を形成している冊子型チラシにおいて、綴じ部が刷紙の高さ方向に倣い塗布される水溶性のりで綴じられ、刷紙を綴じ部に沿って折り、直線状の背を形成するようにしたことを特徴とするものである。
【０００９】
本発明の冊子型チラシの綴じ部は刷紙の高さ方向に倣い塗布される水溶性のりで綴じられ、刷紙を綴じ部に沿って折り、直線状の背を形成する。このようなチラシによれば、背の部分に突起物が存在しないので、チラシが直線状のすっきりした外観を呈する。また、背に突起物がないことから、背に手を触れたときに指先が突起物に当たる可能性がなく、安全性を高めることができる。
【００１０】
一方、このようなチラシによれば、冊子の綴じ部が水溶性のりで綴じられるので、紙リサイクルではチラシ回収後に綴じ部の断裁が不要であって、水中にチラシを漬けて繊維をバラバラに解き、再生紙のための再生パルプを生成することができる。
【００１１】
さらに、本発明の冊子型チラシの作製方法は用紙に広告を印刷する工程、刷紙を２つの部分に切り離す工程、切り離された刷紙の一方にのりを塗布する工程、２枚の刷紙を重ねて接着する工程、刷紙を綴じ部に沿って折る工程、刷紙を決められた大きさに断裁する工程を含むものである。
【００１２】
また、別のチラシ作製方法は用紙に広告を印刷する工程、刷紙を２つの部分に切り離す工程、切り離された刷紙にのりを塗布する工程、刷紙を紙延長方向に直角に折る工程、折られた刷紙を決められた大きさに断裁する工程、断裁された刷紙を重ねて接着する工程、刷紙を綴じ部に沿って折る工程を含むものである。
【００１３】
さらに、上記と異なるチラシの作製方法は用紙に広告を印刷する工程、刷紙を紙延長方向に倣い折る工程、折られた刷紙の一方にのりを塗布する工程、折られた刷紙を重ねて接着する工程、刷紙にのりを塗布する工程、刷紙を決められた大きさに断裁する工程、断裁された刷紙を断裁部と平行に折る工程、折られた刷紙を重ねて接着する工程、折られた刷紙をさらに綴じ部に沿って折る工程を含むものである。
【発明を実施するための最良の形態】
【００１４】
本発明に係る冊子型チラシの一実施の形態について図面を参照して説明する。図１（ａ）において、本発明の冊子型チラシは印刷された２枚の紙を有し、この２枚の刷紙１、２は重ねてのり（後記）で綴じられ、８頁の冊子形態にまとめられている。このチラシは背３と小口４とを有する。
【００１５】
より詳しく述べると、刷紙１は、図１（ｂ）に示すように、幅ｗと高さｈとを有し、幅ｗの中心に刷紙同士を綴じ合わせる綴じ部Ｂが形成される。綴じ部Ｂには刷紙１の高さｈ全域にわたって水溶性のり５を塗布しており、綴じ部Ｂに沿って刷紙１が折られる。この折られた刷紙１の背面に背３が形成される。
【００１６】
ちなみに、水溶性のり５は印刷工程においてインキが乾燥した後、一様な幅をもって塗布される。塗布幅は典型的には約１ｍｍである。
【００１７】
刷紙１、２の各頁には必要な広告を印刷している。これは、所要サイズの用紙から各頁に広告を刷り上げ、高級感のある刷紙を得ることができる。高級感を出す印刷は、好ましくは、同時多色印刷、同時表裏印刷が可能である自動輪転印刷機による。
【００１８】
水溶性のりの一例はファイン・ライン・グルー（販売者：日本ボールドウィン株式会社）の呼び名で市場で取引される、接着液である。この接着液は粘度２５０ｍＰａ（２０°Ｃ）、ｐＨ４．５の白色液体であり、水に完全に溶解する。
【００１９】
このような冊子型チラシにおいては背３に針金のような突起物が存在しないので、チラシが直線状の整った外観を呈する。また、背３に手で触れたとき、突起物がないので、突起物と当たる可能性がなく、安全性を高めることができる。
【００２０】
綴じ部が水溶性のり５で形成されるので、一枚チラシと同様にチラシ回収後に綴じ部の断裁を行わないで、水中において繊維をバラバラに解き、再生紙のための再生パルプを生成することができる。
【００２１】
さらに、のり塗布幅を約１ｍｍとすることで、チラシに全面印刷を用いたとき、紙面の一部が綴じ部のために隠れてしまうのを最小に保持することができる。
【００２２】
本発明の異なる実施の形態について説明する。図２において、チラシは４枚の刷紙１１、１２、１３、１４が水溶性のりで１６頁の冊子にまとめられる。この冊子型チラシは背３と小口４とを有する。上記の実施の形態と同様に、刷紙１１、１２、１３、１４は幅方向の中心に刷紙同士を綴じ合わせる綴じ部が形成される。綴じ部には刷紙１１、１２、１３の高さ方向の全域にわたって水溶性のりを塗布しており、綴じ部に沿って刷紙１１、１２、１３、１４が折られる。
【００２３】
刷紙１１、１２、１３、１４の各頁には必要な広告を印刷している。これは、所要サイズの用紙から各頁に広告を刷り上げ、高級感のある刷紙を得ることができる。高級感を出す印刷は、好ましくは、同時多色印刷、同時表裏印刷が可能である自動輪転印刷機による。
【００２４】
本実施の形態においても、背３に針金のような突起物が存在しないので、チラシが直線状の整った外観を呈する。また、背３に手で触れたとき、突起物がないので、指先が突起物と当たる可能性がなく、安全性を高めることができる。
【００２５】
綴じ部が水溶性のり５で形成されるので、一枚チラシと同様にチラシ回収後に綴じ部の断裁を行わないで、水中において繊維をバラバラに解き、再生紙を得るための再生パルプを生成することができる。
【００２６】
なお、本発明の冊子型チラシは同一サイズの８枚のチラシ刷紙で構成してもよい。この８枚のチラシ刷紙は上記の各実施の形態と同様に、綴じ部が水溶性のりを用いて綴じられる。
【００２７】
本発明のチラシの作製方法について説明する。この手順は８頁からなるチラシを作製するのに好ましい手順である。初めに、給紙装置から輪転印刷機に用紙を送って印刷する。用紙は印刷胴を巡りつつ、版胴からブランケット胴にインキの転移を行い、さらにブランケット胴のインキを用紙両面に転移して文字およびその他が印刷される。この刷紙は一定の温度の保たれるドライヤに送られ、熱風によってインキが乾燥する。
【００２８】
続いて、刷紙は、図３に示すように、連続して設けられるローラ２１に達し、低温に保たれるローラ２１に触れて冷却される。刷紙はローラ２２を巡って流れ、図４に示す回転するカッタを有するスリッタ２３に達する。スリッタ２３で刷紙はカッタによって左右同じ大きさの２つの部分に切り離される。切り離された刷紙（以後、一方を第１刷紙と呼び、他方を第２刷紙と呼ぶ。）は２組設けられるターンバー部２４で第１刷紙Ｐ１と第２刷紙Ｐ２とが上下に整列した並びを維持するように位置を合わされる。
【００２９】
一定の間隔を置いて流れる第１刷紙Ｐ１および第２刷紙Ｐ２のうち、下側を流れる第２刷紙Ｐ２に対してのり噴射器２５からのりが塗布される。第２刷紙Ｐ２に上側を流れる第１刷紙Ｐ１が接近してローラ２６の地点で第１刷紙Ｐ１が第２刷紙Ｐ２と重なる。このとき、両刷紙の密着により第１刷紙Ｐ１と第２刷紙Ｐ２とが綴じられる。この冊子は未断裁のために冊子同士はつながっている。
【００３０】
綴じられた刷紙はフォーマ部２７に達し、三角板２８で縦方向に２つ折りに折られる。この折り工程では刷紙が綴じ部に沿って折られる。このとき、第１刷紙Ｐ１の背面に一直線状の背が形成される。続いて、刷紙は、図５に示すように、断裁部２９に流れ、断裁胴３０によって決められた大きさに断裁される。断裁された刷紙は断裁部２９の下流に設けられる羽根車３１において１冊単位に分けられる。羽根車３１で分離したチラシはコンベア３２上面に落下し、図示しないトリマー装置に送られる。
【００３１】
以上の手順で図１（ａ）に示すような８頁からなる冊子形態のチラシを作製することができる。
【００３２】
上記と異なるチラシの作製方法を説明する。この手順も８頁からなるチラシの作製手順である。用紙に広告を印刷する工程は上記の方法と同一である。ドライヤでのインキの乾燥を経て刷紙は、図６に示すように、回転するカッタを有するスリッタ３３に達する。スリッタ３３で刷紙はカッタによって左右同じ大きさの２つの部分に切り離される。切り離された刷紙（以後、一方を第１刷紙と呼び、他方を第２刷紙と呼ぶ。）のうち、第１刷紙Ｐ１はフォーマ部３４に流れ、三角板３５によって相手刷紙と面を揃えるために紙面を９０度変えられる。第２刷紙Ｐ２はターンバー部３６で相手刷紙と面を揃えるために紙面を９０度変えられる。
【００３３】
紙面を一つに揃えられた第１刷紙Ｐ１と第２刷紙Ｐ２とは、図７に示すように、ミシン胴３７に達し、直後にのり噴射器３８からのりが塗布される。続いて、第１刷紙Ｐ１と第２刷紙Ｐ２とは折り部３９に流れる。ここで、第１刷紙Ｐ１と第２刷紙Ｐ２とはそれぞれ折り胴４０に沿って流れ、折り胴４０の外周縁に備えられるブレード（図示せず）で紙延長方向に直角に折られる。このとき、各刷紙Ｐ１、Ｐ２の折られた背の部分がくわえ胴４１で捉えられ、各刷紙Ｐ１、Ｐ２がくわえ胴４１の外周縁に沿って流れる。
【００３４】
くわえ胴４１を巡る各刷紙Ｐ１、Ｐ２はその外周縁に備えられるカッタ（図示せず）で決められたサイズに断裁される。断裁された各刷紙Ｐ１、Ｐ２はコンベヤ上面に乗り、水平に向きを変え、図８に示すように、チョッパ装置４２に達する。水平に向けられた刷紙は回転する一対のローラ４３上でチョッパ装置４２のブレード４４で綴じ部に沿ってもう一度折られる。このとき、刷紙の背面に一直線状の背が形成される。
【００３５】
このようにして、図１（ａ）に示すような８頁からなる冊子形態のチラシを作製することができる。
【００３６】
なお、上記の作製方法は２胴式折り機で刷紙を折る方法であるが、３胴式折り機を用いて折るようにしてもよい。すなわち、図９に示すように、折り部４５には折り胴４０およびくわえ胴４１と共に、断裁胴４６が備えられる。ここで、第１刷紙Ｐ１と第２刷紙Ｐ２とはそれぞれ断裁胴４６に備えられるカッタ（図示せず）で所定の大きさに断裁される。さらに、折り胴４０に備えられるブレード（図示せず）で断裁部と平行に折られる。続いて、第１刷紙Ｐ１と第２刷紙Ｐ２とは折られた背の部分がくわえ胴４１で捉えられ、さらに先に塗布されたのりによって綴じられる。この後、上記の方法と同様に、刷紙は回転するローラ上でチョッパ装置のブレードで綴じ部に沿ってもう一度折られる。
【００３７】
このように、本作製方法においても、８頁からなる冊子形態のチラシを作製することができる。
【００３８】
上記と異なるチラシの作製方法を説明する。この手順は１６頁からなるチラシの作製手順である。初めに、給紙装置から輪転印刷機に用紙を送って印刷する。インキによって用紙両面に文字およびその他が印刷される。この刷紙はドライヤに送られ、熱風によってインキが乾燥する。続いて、刷紙はドライヤ出口のローラに流れ、低温に保たれるローラと次々接触して冷却される。
【００３９】
刷紙はローラを巡って流れ、図１０に示すフォーマ部４７に達する。ここで、刷紙は三角板４８によって縦方向に折られる。折られた刷紙の一方の内面にのり噴射器４９からのりが塗布される。続いて、刷紙は塗布されたのりによってローラ５０で綴じられる（第１綴じ）。この冊子は未断裁のために冊子同士はつながっている。
【００４０】
フォーマ部４７を出た刷紙は、図１１に示すように、ミシン胴５１に達し、直後にのり噴射器５２からのりが塗布される。続いて、刷紙は折り部５３に流れる。ここで、刷紙は断裁胴５４で決められた大きさに断裁される。さらに、折り胴５５で断裁部と平行に折られる。折られた刷紙はくわえ胴５６で先に塗布されたのりによって綴じられる（第２綴じ）。
【００４１】
綴じられた刷紙はくわえ胴５６を巡ってコンベヤ上面に乗り、水平に向きを変えてチョッパ装置４２に達する。水平に向けられた刷紙は回転する一対のローラ４３上でチョッパ装置４２のブレード４４でもう一度折られる。この折り工程では刷紙が綴じ部に沿って折られる。このとき、刷紙の背面に一直線状の背が形成される。
【００４２】
このようにして、図２に示すような１６頁からなる冊子形態のチラシを得ることができる。
【産業上の利用可能性】
【００４３】
本発明の冊子型チラシは良好な美観を呈し、かつ紙リサイクルにおいて綴じ部の断裁が不要になるなど、極めて有用である。
【図面の簡単な説明】
【００４４】
【図１】本発明による冊子型チラシの一実施の形態を示すもので、（ａ）はチラシの斜視図、（ｂ）は刷紙の平面図である。
【図２】本発明によるチラシの他の実施の形態を示す斜視図である。
【図３】本発明による冊子型チラシの作製方法のうち、冷却工程を示す図である。
【図４】本発明による冊子型チラシの作製方法のうち、のり塗布、接着および折り工程を示す図である。
【図５】本発明による冊子型チラシの作製方法のうち、断裁および搬送工程を示す図である。
【図６】本発明による別の冊子型チラシの作製方法のうち、整列工程を示す図である。
【図７】本発明による別の冊子型チラシの作製方法のうち、のり塗布、折りおよび接着工程を示す図である。
【図８】本発明による別の冊子型チラシの作製方法のうち、折り工程を示す図である。
【図９】本発明による別の冊子型チラシの作製方法のうち、のり塗布、断裁、折りおよび接着工程を示す図である。
【図１０】本発明による別の冊子型チラシの作製方法のうち、折り、のり塗布および接着工程を示す図である。
【図１１】本発明による別の冊子型チラシの作製方法のうち、断裁、第２折りおよび第３折り工程を示す図である。
【符号の説明】
【００４５】
１、２、１１、１２、１３、１４…  刷紙
３…  背
４…  小口
５…  のり
２３、３３…  スリッタ
２５、３８、４９、５２…  のり噴射器
３０、４６、５４…  断裁胴
４０、５５…  折り胴
４１、５６…  くわえ胴
４２…  チョッパ装置
【図１】
2007045138.tif 000003
【図２】
2007045138.tif 000004
【図３】
2007045138.tif 000005
【図４】
2007045138.tif 000006
【図５】
2007045138.tif 000007
【図６】
2007045138.tif 000008
【図７】
2007045138.tif 000009
【図８】
2007045138.tif 000010
【図９】
2007045138.tif 000011
【図１０】
2007045138.tif 000012
【図１１】
2007045138.tif 000013